(57)【特許請求の範囲】
【請求項１】
グリル部とコンロ部とを備え、ガスバーナの点火操作時に手動で開弁される手動開閉弁を備えた器具栓をガス通路に設置するグリル付ガスコンロにおいて、
グリル部に配設され、グリル庫内の被調理物を加熱するガスバーナとしてのグリルバーナと、
コンロ部に配設され、調理容器を加熱するガスバーナとしてのコンロバーナと、
コンロバーナ上における調理容器の有無を検知する調理容器検知器と、
ガス通路又は器具栓に設けられ、コンロバーナへのガス供給を止める閉弁手段と、
コンロ部及びグリル部の動作制御を行う制御部と、
上記制御部は、コンロ部において手動で器具栓の手動開閉弁を開弁させる点火操作が行われるときに調理容器検知器の検知信号により調理容器有無の判定を行い、調理容器有りの場合は閉弁手段を開弁させてコンロバーナへガス供給を行って点火させ、調理容器無しの場合は閉弁手段によりコンロバーナへのガス供給を止めて点火させない点火動作制御を行う構成を有し、グリル部での火力調節又は点火のための動作制御中にコンロ部の点火操作が行われると、調理容器無しの場合にコンロバーナからの生ガス放出を防止するためにグリル部での動作制御を中断して上記コンロ部の点火動作制御を優先して行う制御構成とするグリル付ガスコンロ。
【請求項２】
請求項１に記載のグリル付ガスコンロにおいて、
上記制御部は、グリル部の火力調節又は点火のための動作制御中にコンロ部の点火操作が行われると、中断指令を出力してグリル部での動作制御を中断させ、その後、コンロ部の点火動作制御において調理容器有りの場合は閉弁手段の開弁制御を行った後に、又は調理容器無しの場合は調理容器有無の判定を行った後に、再開指令を出力して中断していたグリル部の動作制御を再開させる制御構成とするグリル付ガスコンロ。
【請求項３】
請求項１又は２に記載のグリル付ガスコンロにおいて、
上記制御部は、グリル部の点火操作が行われた場合はグリルバーナに対する開閉弁の開弁制御を行う前に、燃焼中でないコンロバーナに対する上記閉弁手段を閉弁制御させる制御構成とするグリル付ガスコンロ。
【発明の詳細な説明】
【技術分野】
【０００１】
本発明は、グリル部とコンロ部とを備え、ガスバーナの点火操作時に手動で開閉される手動開閉弁を備えた器具栓を設置するグリル付ガスコンロに関する。
【背景技術】
【０００２】
従来、手動開閉式の器具栓を設置するガスコンロにおいて、点火操作の際に鍋などの調理容器がガスバーナ上に配置されていない調理容器無しの状態ではガスバーナに火をつけないように制御する調理容器検知機能を備えたものがある（特許文献１）。このガスコンロは、器具栓のメカ構造上、点火操作時に手動によって器具栓が開成されてガスバーナへガス供給されるため、器具栓とガスバーナとの間のガス通路等にガス遮断弁（ラッチ式電磁弁）を設け、点火操作の際にガスバーナ上に調理容器無しが検知されると、ガス供給を遮断してガスバーナを点火させないようにガス遮断弁を閉弁制御している。
【先行技術文献】
【特許文献】
【０００３】
【特許文献１】特開２０１０−１３９１８９号公報
【発明の概要】
【発明が解決しようとする課題】
【０００４】
ところで、手動開閉式の器具栓を設置し且つグリル部を備えたグリル付ガスコンロにおいても上記調理容器検知機能を設けて機能の充実化を図ることが望まれる。グリル付ガスコンロでは、グリル燃焼中の火力調節操作又はグリル部の点火操作と、コンロ部の点火操作とがほぼ同時期に行われる場合も起こり得る。この場合、グリルバーナ側の電磁弁（ガス量調整弁）の開閉制御とコンロバーナ側の電磁弁（ガス遮断弁、ガス量調整弁）の開閉制御とを順番に行って電源や電源回路等に大きな負荷をかけないようにするのが好ましい。特に電池を電源とする場合は、電池寿命を長くするとともに電力低下に伴って制御部の動作が不安定にならないようにするには、グリルバーナとコンロバーナの各々の電磁弁の弁駆動出力が重ならないようにするのが好ましい。
【０００５】
しかし、グリル部の火力調節や点火の動作制御中にコンロ部の点火操作が行われた場合は、グリル部での動作制御終了後にコンロバーナの点火動作を開始することとなる。そのため、コンロ部の点火操作開始から少し遅れてコンロバーナが点火される。コンロ部でのコンロバーナの点火の有無は、使用者が目視で容易に確認できるため、コンロバーナの点火がその点火操作時点より遅れると、点火操作を行った使用者はコンロバーナの点火動作に違和感を感じ、また、コンロ部が動作不良を起こしていると誤認するおそれがあった。
【０００６】
また、グリル部の火力調節又は点火の動作制御中にコンロ部の点火操作を調理容器無しの状態で行ったときは、グリル部での動作制御終了後に調理容器検知機能が働いてコンロバーナのガス遮断弁の閉弁動作が開始されるため、このガス遮断弁の閉弁に遅れが生じる。そのため、コンロバーナのガス遮断弁が実際に閉弁するまでの間に手動により器具栓が開成されてコンロバーナから生ガスが少し放出されてしまい、使用者にガス臭い等の不快感を与えるおそれがあった。
【０００７】
本発明は、以上の事情に鑑みてなされたものであり、グリル部での動作制御中にコンロ部の点火操作が行われた場合であっても、コンロ部の点火操作の操作性がよく、また、コンロ部の点火操作を調理容器無しの状態で行った場合にコンロバーナからの生ガスの放出が確実に防止されるグリル付ガスコンロを提供することを課題とする。
【課題を解決するための手段】
【０００８】
本発明に係るグリル付ガスコンロは、
グリル部とコンロ部とを備え、ガスバーナの点火操作時に手動で開弁される手動開閉弁を備えた器具栓をガス通路に設置するグリル付ガスコンロにおいて、
グリル部に配設され、グリル庫内の被調理物を加熱するガスバーナとしてのグリルバーナと、
コンロ部に配設され、調理容器を加熱するガスバーナとしてのコンロバーナと、
コンロバーナ上における調理容器の有無を検知する調理容器検知器と、
ガス通路又は器具栓に設けられ、コンロバーナへのガス供給を止める閉弁手段と、
コンロ部及びグリル部の動作制御を行う制御部と、
上記制御部は、コンロ部において手動で器具栓の手動開閉弁を開弁させる点火操作が行われるときに調理容器検知器の検知信号により調理容器有無の判定を行い、調理容器有りの場合は閉弁手段を開弁させてコンロバーナへガス供給を行って点火させ、調理容器無しの場合は閉弁手段によりコンロバーナへのガス供給を止めて点火させない点火動作制御を行う構成を有し、グリル部での火力調節又は点火のための動作制御中にコンロ部の点火操作が行われると、調理容器無しの場合にコンロバーナからの生ガス放出を防止するためにグリル部での動作制御を中断して上記コンロ部の点火動作制御を優先して行う制御構成とする。
【０００９】
上記構成によれば、グリル部での動作制御中にコンロ部の点火操作を行っても、コンロ部の点火操作を単独で行ったときと同様に、コンロバーナ上に調理容器が有る状態では、コンロバーナの点火・燃焼がその点火操作時点から遅滞無く行われる。従って、使用者が目視で容易に確認できるコンロバーナの点火動作に対して使用者に違和感を感じさせたり点火動作不良を起こしていると誤認させる等のおそれがなく、コンロ点火操作の操作性がよいものとなる。
【００１０】
また、調理容器無しの状態では、コンロ部の点火操作開始によりコンロバーナへの閉弁手段が直ちに閉弁制御される。従って、グリル部での動作制御中に調理容器無しの状態でコンロ部の点火操作を行い手動で器具栓の手動開閉弁が開弁されても、閉弁手段によってコンロバーナからの生ガスの放出が確実に防止され、使用者にガス臭い等の不快感を与えることもない。
【００１１】
上記制御部は、グリル部の火力調節又は点火のための動作制御中にコンロ部の点火操作が行われると、中断指令を出力してグリル部での動作制御を中断させ、その後、コンロ部の点火動作制御において調理容器有りの場合は閉弁手段の開弁制御を行った後に、又は調理容器無しの場合は調理容器有無の判定を行った後に、再開指令を出力して中断していたグリル部の動作制御を再開させる制御構成とすることが望ましい。
【００１２】
これにより、グリル部の火力調節や点火のための操作とコンロ部の点火操作とがほぼ同時期に行われた場合でも、グリル部での動作制御とコンロ部の点火動作制御とを順番に行うことができる。従って、電源や電源回路等に大きな負荷をかけないようにすることができ、例えば、電池を電源とする場合は、電池寿命を長くするとともに電力低下に伴って制御部の動作が不安定にならないようにすることができる。
【００１３】
上記制御部は、グリル部の点火操作が行われた場合はグリルバーナに対する開閉弁の開弁制御を行う前に、燃焼中でないコンロバーナに対する上記閉弁手段を閉弁制御させる制御構成とすることが望ましい。
【００１４】
これによっても、グリル部での動作制御中に、コンロバーナ上に調理容器無しの状態でコンロ部の点火操作を行い手動で器具栓の手動開閉弁が開弁されても閉弁手段によってコンロバーナからの生ガスの放出が防止される。
【発明の効果】
【００１５】
以上のように、本発明に係るグリル付ガスコンロによれば、グリル部での動作制御中にコンロ部の点火操作が行われた場合であっても、コンロ部の点火操作の操作性がよく、また、コンロ部の点火操作を調理容器無しの状態で行った場合にコンロバーナからの生ガスの放出が確実に防止される。
【図面の簡単な説明】
【００１６】
【図１】実施形態によるグリル付ガスコンロの外観構成を示す正面図である。
【図２】調理容器検知器により調理容器有無を検知する際の動作を説明する模式図である。
【図３】実施形態によるグリル付ガスコンロのガス回路構成を示す模式図である。
【図４】コンロ部の器具栓及びガス遮断弁の構成を示す断面図である。
【図５】グリル部での動作制御を中断させてコンロ部の点火動作を優先して行うためのコンロ部の点火動作手順を示すフローチャートである。
【図６】グリル部の火力調節の動作制御中にコンロ部の点火操作が行われた場合のグリル部での動作手順を示すフローチャートである。
【図７】グリル部の点火の動作制御中にコンロ部の点火操作が行われた場合のグリル部での動作手順を示すフローチャートである。
【発明を実施するための形態】
【００１７】
以下に、実施形態について図面を参照しながら説明する。
図１に示すように、実施形態によるグリル付ガスコンロ１は、矩形箱状のコンロ本体１０を有し、コンロ本体１０の上面の天板には２口（複数）の第１・第２コンロ部１３Ｒ，１３Ｌが設けられ、コンロ本体１０の中央部にはグリル部８が設けられている。第１・第２の各コンロ部１３Ｒ，１３Ｌには、天板にガスバーナ５としての第１・第２のコンロバーナ５１（５１Ｒ，５１Ｌ）を臨ませ且つ五徳１２を配置し、中央には先端の感熱部が鍋等の調理容器Ａの底部に接触して調理容器底温度を検出する調理容器温度センサ１４が設けられている。
【００１８】
調理容器温度センサ１４は、図２に示すように、昇降自在に支持され、基端部には、この調理容器温度センサ１４の昇降状態を検知するマイクロスイッチ等による調理容器検知器１５が設けられている。この調理容器検知器１５は、コンロバーナ５１上の調理容器Ａの有無を検知する。つまり、調理容器検知器１５は、五徳１２上に調理容器Ａが無いときは調理容器温度センサ１４が上昇位置にあってオフされ（図２（ａ）参照）、五徳１２上に調理容器Ａが有るときは調理容器温度センサ１４が下降位置にあってオンされる（図２（ｂ）参照）。従って、調理容器検知器１５の検知信号（オン・オフ信号）よりコンロバーナ５１上の調理容器Ａの有無が検知される。なお、コンロバーナ５１の外周囲には、コンロバーナ５１の炎の有無を検知するための炎検知器１６と、火花放電させてコンロバーナ５１を点火させるための点火電極１７とが配置されている。
【００１９】
グリル部８は、コンロ本体１０内の中央に形成されて魚等の被調理物を収納するグリル庫８１と、グリル庫８１内の被調理物を加熱調理するグリルバーナ５２（ガスバーナ５）としての上火バーナ５２Ｕ及び下火バーナ５２Ｂ（図３参照）と、コンロ本体１０の前面部に取り付けられてグリル庫８１内を開閉自在とするグリル扉８２とを備えている。また、図示しないが、上火バーナ５２Ｕと下火バーナ５２Ｂのそれぞれには、上火・下火バーナ５２Ｕ，５２Ｂの炎の有無を検知するための炎検知器（１６）と、火花放電させて上火・下火バーナ５２Ｕ，５２Ｂを点火させるための点火電極（１７）とが配置されている。
【００２０】
コンロ本体１０の前面部には、図１に示すものでは、グリル扉８２の右側に、第１のコンロ部１３Ｒにおける第１のコンロバーナ５１Ｒを点消火操作するための点消火ボタン３Ｒ及び第１のコンロバーナ５１Ｒの火力調節を行うための火力調節レバー４Ｒと、グリル部８の上火バーナ５２Ｕ及び下火バーナ５２Ｂを点消火操作するための点消火ボタン３Ｃ及び上火・下火バーナ５２Ｕ，５２Ｂの火力調節を行うための火力切替ボタン４Ｃとが設けられている。また、グリル扉８２の左側には、第２のコンロ部１３Ｌにおける第２のコンロバーナ５１Ｌを点消火操作するための点消火ボタン３Ｌ及びこの第２のコンロバーナ５１Ｌの火力調節を行うための火力調節レバー４Ｌと、グリル付ガスコンロ１の電源となる電池を収納する電池ボックス１９とが設けられている。なお、グリル付ガスコンロ１の電源には、電池に代えて、商用電源を用いてもよい。
【００２１】
各コンロバーナ５１Ｒ，５１Ｌ及び上火・下火バーナ５２Ｕ，５２Ｂは、図３に示すように、ガスを供給するガス配管９から分岐するガス通路９１がそれぞれ接続され、各ガス通路９１の途中には、ガス通路９１を手動で開閉する器具栓２（２Ｒ，２Ｌ，２Ｃ）が設けられている。各器具栓２Ｒ，２Ｌ，２Ｃには、点消火ボタン３Ｒ，３Ｌ，３Ｃが取り付けられている。第１・第２のコンロ部１３Ｒ，１３Ｌの器具栓２Ｒ，２Ｌには、火力調節レバー４Ｒ，４Ｌも接続されている。
【００２２】
器具栓２は、図４に示すように、点消火ボタン３による点火操作の際に手動で開成されるメカ式の器具栓２である。この器具栓２は、弁筐２０内に導入口２１から導出口２２に連通されたガスの内部通路２３が形成されており、内部通路２３には、上流側から電磁安全弁２５、元ガス弁２４、ガス量調節のためのニードル弁２６が収納されている。なお、グリル部８の器具栓２Ｃには、ニードル弁２６は有しないものとする。
【００２３】
元ガス弁２４は、ロッド２７の所定位置に固定して取り付けられ、電磁安全弁２５は、このロッド２７の先端部に押圧可能に配置されている。ロッド２７の基端部は、点消火ボタン３のスライダー部３０に対向されている。元ガス弁２４と電磁安全弁２５とは、コイルバネ２８，２９によって閉弁側（点消火ボタン３の配置側）に付勢されている。従って、点消火ボタン３が押込み操作（点火操作）されていない始端位置にある状態では、元ガス弁２４と電磁安全弁２５とは弁座に当接された閉弁状態にあり、内部通路２３が閉鎖されている。そして、点消火ボタン３が押込み操作（点火操作）されると、まず元ガス弁２４がコイルバネ２８の付勢力に抗して弁座から離反されて開弁され、続いて、電磁安全弁２５がロッド２７に押圧されコイルバネ２９の付勢力に抗して弁座から離反されて開弁される。電磁安全弁２５は、後端に吸着片２５１が取り付けられており、その奥側に配設する電磁石２５２に吸着片２５１が吸着されることで開弁保持される。これにより、器具栓２が開成状態に維持され、内部通路２３にガスが流れる。なお、本実施形態では、元ガス弁２４と電磁安全弁２５とによりガスバーナ５の点火操作時に手動で開弁される手動開閉弁を構成し、元ガス弁２４と電磁安全弁２５の両方が開弁したときに器具栓２の手動開閉弁が開弁される。
【００２４】
ニードル弁２６は、カム板２６１を介して火力調節レバー４と連結されている。従って、火力調節レバー４の操作によりカム板２６１を介してニードル弁２６が進退動され、内部通路２３を流通するガスの流量調節がなされ、コンロバーナ１１の火力が調節される。
【００２５】
また、器具栓２の内部通路２３は、通路幅が狭くなったオリフィス通路２３１と、オリフィス通路２３１を迂回するバイパス通路２３２とが設けられており、さらに、バイパス通路２３２を開閉するガス量調整弁６（６Ｒ，６Ｌ，６Ｕ，６Ｂ）が設けられている。なお、グリル部８の器具栓２Ｃは、上火バーナ５２Ｕと下火バーナ５２Ｂとのそれぞれに対応して、オリフィス通路２３１、バイパス通路２３２及びガス量調整弁６Ｕ，６Ｂが設けられている（図３参照）。ガス量調整弁６は、コンロ部１３、グリル部８ともに自動調理に際して開閉制御されてガスバーナ５の火力調節が行われる。
【００２６】
また、コンロ部１３においてガス量調整弁６（６Ｒ，６Ｌ）は、コンロバーナ５１（５１Ｒ，５１Ｌ）の燃焼中に調理容器Ａがコンロバーナ５１上から退けられて調理容器検知器１５により調理容器無しが検知されると閉弁される。すると、器具栓２（２Ｒ，２Ｌ）においてガスは内部通路２３のオリフィス通路２３１のみに流通され、コンロバーナ５１へ供給される全ガス供給量が少量に絞られ、その結果、火力調節レバー４（４Ｒ，４Ｌ）の火力設定にかかわらずコンロバーナ５１の火力が小火状態になる。これにより、コンロバーナ５１の燃焼中において調理容器無しの状態での大火状態の直火による危険事象を回避でき、安全性が向上される。そして、調理容器検知器１５により調理容器有りが検知されると、ガス量調整弁６が開弁されて火力調節レバー４での設定火力に復帰する。従って、コンロバーナ燃焼中の鍋振り等で一時的に調理容器Ａを持ち上げた場合には小火になるだけで消火されないため、消火により再点火させる煩わしさ等がなく調理使用時の使い勝手がよい。
【００２７】
また、グリル部８においてガス量調整弁６は、火力切替ボタン４Ｃの操作により開閉制御されるように構成されている。すなわち、火力切替ボタン４Ｃの操作により小火力要求がなされると、ガス量調整弁６（６Ｕ，６Ｂ）が閉弁制御されて、グリルバーナ５２（５２Ｕ，５２Ｂ）へ供給される全ガス供給量が器具栓のオリフィス通路２３１のみから流通される少量に絞られ、その結果、グリルバーナ５２が小火力の火力状態となる。一方、火力切替ボタン４Ｃの操作により大火力要求がなされると、ガス量調整弁６が開弁制御されて、グリルバーナ５２へ供給される全ガス供給量が器具栓のバイパス通路２３２及びオリフィス通路２３１から流通されるガス供給量に設定され、その結果、グリルバーナ５２が大火力の火力状態となる。
【００２８】
このようにして、グリルバーナ５２である上火バーナ５２Ｕ及び下火バーナ５２Ｂは、ともに大火力と小火力の２段階に火力調節される。従って、グリル部８では、火力切替ボタン４Ｃにより、上火バーナ５２Ｕ及び下火バーナ５２Ｂともに大火力の火力状態と、上火バーナ５２Ｕが小火力で下火バーナ５２Ｂが大火力の火力状態と、上火バーナ５２Ｕが大火力で下火バーナ５２Ｂが小火力の火力状態と、上火バーナ５２Ｕ及び下火バーナ５２Ｂともに小火力の火力状態との四つの火力状態に切り替え可能に構成されている。
【００２９】
点消火ボタン３には、ハート形のカム溝３１とこれに係合する係合子３２とからなるハートカム式のプッシュプッシュ機構が設けられ、点消火ボタン３を終端位置まで押込んだ後に押圧を解くと、点消火ボタン３が始端位置の手前の保持位置に係止される。点消火ボタン３の保持位置では、元ガス弁２４は開弁保持され、一方、電磁安全弁２５はロッド２７による押圧が解かれるが、吸着片２５１がコイルバネ２９に抗して電磁石２５２に吸着保持されて開弁保持される。
【００３０】
また、点消火ボタン３には、カム３３と、このカム３３によってオンオフされるマイクロスイッチ１１とが配設されている。マイクロスイッチ１１は、点消火ボタン３の始端位置から終端位置までの操作位置を２段階で検出する位置検出手段を構成する。このマイクロスイッチ１１は、内部に独立した２つの接点を有する２接点式のものであり、カム３３の表面に当接する可動片１１ａを備え、点消火ボタン３が押込まれ可動片１１ａが中間位置まで押込まれると１つ目の接点がオンし、点消火ボタン３がさらに押込まれ可動片１１ａがさらに押込まれると２つ目の接点がオンする。１つ目の接点がオンする１段目の操作位置は、元ガス弁２４の開弁前後付近の位置に設定され、２つ目の接点がオンする２段目の操作位置は、電磁安全弁２５の開弁前後付近の位置に設定される。そして、マイクロスイッチ１１により、１段目の操作位置を検出すると電源が入り且つ電磁安全弁２５の電磁石２５２へ励磁電流が印加され、２段目の操作位置を検出するとイグナイタ（図示せず）に高電圧が印加され点火電極１７より火花放電がなされる。なお、上記マイクロスイッチ１１は、２接点式のものとするが、単接点の２個のマイクロスイッチ１１を用いて点消火ボタン３の操作位置を２段階で検出するようにしてもよい。
【００３１】
また、各コンロ部１３Ｒ，１３Ｌでは、器具栓２Ｒ，２Ｌとコンロバーナ５１Ｒ，５１Ｌとの間における器具栓２Ｒ，２Ｌの下流位置には、ガス遮断弁７（７Ｒ，７Ｌ）が設けられている。このガス遮断弁７は、点火操作時に調理容器無しの場合にガス通路９１を遮断する閉弁手段を構成する。ガス遮断弁７は、ラッチ式電磁弁（自己保持型電磁弁）により構成されている。ラッチ式電磁弁は、弁体７３にプランジャ７１が取付けられ、このプランジャ７１の周囲に電磁コイル７５を配置し、電磁コイル７５に励磁電流を通電してプランジャ７１を移動させることで弁体７３を開閉動作させる。そして、弁体７３の閉弁状態では、弁口７２を塞ぐように弁体７３をバネ７６により付勢して閉弁保持し、弁体７３の開弁状態では、永久磁石７４によりプランジャ７１を吸着して弁口７２を開けるように弁体７３を開弁保持させる。従って、ラッチ式電磁弁は、開弁状態及び閉弁状態の保持電力を必要としないから、電源電力の消費を抑制することができる。従って、電池電源とする場合は電池寿命等の性能の早期劣化を防止することができる。
【００３２】
なお、コンロ部１３及びグリル部８の各器具栓２に設けるガス量調整弁６もラッチ式電磁弁で構成され、ガス遮断弁７と同様に、プランジャ６１、弁口６２、弁体６３、永久磁石６４、電磁コイル６５、バネ６６等により構成されている。
【００３３】
また、グリル付ガスコンロ１は、コンロ部１３及びグリル部８の動作制御を行う制御部（図示せず）を備えている。制御部は、電源や電源回路等に大きな負荷をかけないようにするため、第１・第２のコンロバーナ５１Ｒ，５１Ｌ及び上火・下火バーナ５２Ｕ，５２Ｂにおける各々のガス遮断弁７（７Ｒ，７Ｌ）やガス量調整弁６（６Ｒ，６Ｌ，６Ｕ，６Ｂ）への弁駆動出力を順番に行うように制御する。そして、制御部は、グリル部８での動作制御中にコンロ部１３の点火操作が行われると、実行中のグリル部８での動作制御を中断して、コンロ部１３の点火動作を優先して行うように制御する。その詳細は、以下で述べる。
【００３４】
次に、上記構成のグリル付ガスコンロ１の動作として、グリル部８の動作制御中にコンロ部１３の点火操作を行った場合のコンロ部１３の動作を説明する。なお、以下に述べる動作は、上記制御部によって実行される。図５のフローチャートは、グリル部８の火力調整又は点火の動作制御中に第１のコンロ部１３Ｒの点火操作を行った場合、グリル部８での動作制御を中断させてコンロ部１３Ｒの点火動作を優先して行う動作手順を示している。なお、第２のコンロ部１３Ｌの点火操作を行ったときの点火動作の流れは、この図５のフローチャートに準ずるものとする。
【００３５】
図５のフローチャートを参照して、グリル部８での動作制御中に、第１のコンロ部１３Ｒの点火操作を開始するため点消火ボタン３Ｒが押し込まれて元ガス弁２４が開弁され（Ｓ１）、マイクロスイッチ１１より１段目の器具栓操作位置が検出されると（Ｓ２）、電磁安全弁２５への励磁電流を印加する（Ｓ３）。また、このとき、グリル部８での動作制御を中断させるための中断指令を出力する（Ｓ２５）。この中断指令出力によりグリル部８の動作制御が直ちに中断され、以下のコンロ部１３Ｒの点火動作が優先して行われる。
【００３６】
そして、第１のコンロバーナ５１Ｒのガス遮断弁７への閉弁信号を所定時間（例えば、１１０ｍｓ）出力して第１のコンロバーナ５１Ｒのガス遮断弁７を閉弁状態に保持させる（Ｓ４〜Ｓ６）。これにより、手動で器具栓２Ｒが開成、すなわち手動で元ガス弁２４と電磁安全弁２５とが開弁されても、第１のコンロバーナ５１Ｒへのガス供給が止められる。次いで、第２のコンロバーナ５１Ｌが燃焼中でない場合（Ｓ７で「Ｎｏ」）は第２のコンロバーナ５１Ｌのガス遮断弁７への閉弁信号を所定時間（例えば、１１０ｍｓ）出力して第２のコンロバーナ５１Ｌのガス遮断弁７を閉弁状態に保持させる（Ｓ８〜Ｓ１０）。なお、第２のコンロバーナ５１Ｌが燃焼中の場合（Ｓ７で「Ｙｅｓ」）は、そのガス遮断弁７への閉弁制御（ステップＳ８〜Ｓ１０）は行わず、次の動作を進める。
【００３７】
次に、調理容器検知器１５の検知信号により第１のコンロバーナ５１Ｒ上の調理容器Ａの有無を判定する（Ｓ１１）。調理容器有りが検知されている場合（Ｓ１１で「Ｙｅｓ」）は、第１のコンロバーナ５１Ｒのガス量調整弁６Ｒとガス遮断弁７Ｒとに対して順次に開弁信号を所定時間（例えば、１１０ｍｓ）出力して（Ｓ１２〜Ｓ１７）、ガス量調整弁６Ｒ及びガス遮断弁７Ｒを開弁させて第１のコンロバーナ５１Ｒへのガス供給を可能とする。
【００３８】
そして、点消火ボタン３Ｒの押し込みで電磁安全弁２５が開弁され（Ｓ１８）、マイクロスイッチ１１より２段目の器具栓操作位置が検出されると（Ｓ１９）、イグナイタへの電圧印加を開始して（Ｓ２０）、第１のコンロバーナ５１Ｒの点火電極１７より火花放電させて第１のコンロバーナ５１Ｒを点火させる。この段階までコンロ部１３Ｒの点火動作が進むと、中断させたグリル部８の動作制御を再開させるための再開指令を出力する（Ｓ２６）。この再開指令出力により待機中のグリル部８での動作制御が再開される。
【００３９】
そして、第１のコンロバーナ５１Ｒの炎を検知する炎検知器１６の検知電圧が所定時間継続して着火レベル以上になると（Ｓ２１）、イグナイタへの電圧印加を停止する（Ｓ２２）。これにより、第１のコンロバーナ５１Ｒが燃焼開始される。
【００４０】
一方、ステップＳ１１で調理容器無しが検出されている場合（Ｓ１１で「Ｎｏ」）は、器具栓２Ｒに備える電磁安全弁２５への電流印加を停止する（Ｓ２３）。これにより、点消火ボタン３Ｒの押し込みが解かれると器具栓２Ｒの電磁安全弁２５が閉弁される。また、この場合は、上記の第１のコンロバーナ５１Ｒのガス量調整弁６Ｒ及びガス遮断弁７Ｒの開弁制御（ステップＳ１２〜Ｓ１７）を行わず、調理容器Ａの有無の判定前にガス遮断弁７Ｒを閉弁させた閉弁状態（ステップＳ４〜Ｓ６）に保持させる。従って、調理容器無しの状態で点火操作を行った場合は、ガス遮断弁７Ｒの閉弁保持により第１のコンロバーナ５１Ｒへのガス供給が止められるので、第１のコンロバーナ５１Ｒに火がつくことはなく、また、この第１のコンロバーナ５１Ｒから生ガスが放出されることもない。また、この場合、調理容器無しの旨をブザーや表示器等の報知手段（図示せず）により報知する（Ｓ２４）。これにより、点消火ボタン３Ｒを操作したにもかかわらず第１のコンロバーナ５１Ｒが点火されないことで使用者がグリル付ガスコンロ１の故障であると誤認することが防止され、また、調理容器Ａを第１のコンロバーナ５１Ｒ上に配置させて点火操作する必要があることを使用者に促すことができる。
【００４１】
さらに、この調理容器無しの状態でコンロ部１３Ｒの点火操作を行った場合は、この段階で、中断させたグリル部８での動作制御を再開させるための再開指令を出力し（Ｓ２７）、待機中のグリル部８での動作制御を再開させる。
【００４２】
以上のように、本実施形態のグリル付ガスコンロ１によれば、グリル部８の火力調節や点火のための操作とコンロ部１３の点火操作とがほぼ同時期に行われたときにグリル部８の火力調節等の操作によるグリルバーナ５２等に対する弁駆動制御とコンロ部１３の点火操作によるコンロバーナ５１への弁駆動制御とを順番に行う場合に、グリル部８での動作制御中にコンロ部１３の点火操作が行われると、グリル部８での動作制御を中断してコンロ部１３の点火動作を優先して行う。これにより、グリル部８での動作制御中にコンロ部１３の点火操作を行っても、コンロ部１３の点火操作を単独で行ったときと同様に、コンロバーナ５１上に調理容器が有る状態では、コンロバーナ５１の点火・燃焼がその点火操作時点から遅滞無く行われる。従って、使用者が目視で容易に確認できるコンロバーナ５１の点火動作に対して使用者に違和感を感じさせたり点火動作不良を起こしていると誤認させる等のおそれがなく、コンロ点火操作の操作性がよいものとなる。
【００４３】
また、グリル部８での動作制御中にコンロ部１３の点火操作が行われたときはグリル部８の動作制御を中断してコンロ部１３の点火動作を優先させるので、グリル部８での動作制御中に調理容器無しの状態でコンロ部１３の点火操作が行われても、コンロ部１３の点火操作を単独で行ったときと同様に、調理容器無しの状態では、コンロ部１３の点火操作開始によりコンロバーナ５１へのガス遮断弁７（７Ｒ，７Ｌ）が直ちに閉弁保持される。従って、グリル部８での動作制御中に調理容器無しの状態でコンロ部１３の点火操作を行い手動で器具栓２（２Ｒ，２Ｌ）の元ガス弁２４及び電磁安全弁２５が開弁されても、ガス遮断弁７の閉弁によってコンロバーナ５１からの生ガスの放出が確実に防止され、使用者にガス臭い等の不快感を与えることもない。
【００４４】
次に、グリル部８の動作制御中にコンロ部１３の点火操作が行われた場合のグリル部８の動作について説明する。まず、グリル部８の火力調節の動作制御中にコンロ部１３の点火操作が行われた場合のグリル部８の動作を図６のフローチャートを参照して説明する。
【００４５】
図６（ａ）のフローチャートを参照して、例えば、上火バーナ５２Ｕ及び下火バーナ５２Ｂがともに大火力状態でグリル燃焼中のときに、火力切替ボタン４Ｃの操作により上火バーナ５２Ｕを小火力状態にするための小火力要求（Ｓ３１）がなされると、上火バーナ５２Ｕのガス量調整弁６Ｕに対する閉弁信号を所定時間（例えば、１１０ｍｓ）出力する（Ｓ３２〜Ｓ３４）。これにより、上火バーナ５２Ｕへのガス量調整弁６Ｕが閉弁され、上火バーナ５２Ｕの火力が大火力から小火力の火力状態に切り替わる（Ｓ３５）。
【００４６】
ここで、上記したグリル部８の火力調節の動作制御中の間は、コンロ部１３の点火操作が行われたか否か監視され（Ｓ３３）、コンロ部１３の点火操作が開始された場合はグリル部８の動作制御が中断される。すなわち、上火バーナ５２Ｕのガス量調整弁６Ｕへの閉弁信号出力中に、コンロ部１３の点火操作開始による中断指令が出力されると（Ｓ３６で「Ｙｅｓ」）、このガス量調整弁６Ｕへの閉弁信号出力を直ちに停止して（Ｓ３７）、現時点のグリル部８の動作制御を中断させる。これにより、グリル部８の火力調節動作は待機中となり、コンロ部１３の点火動作が優先的に進められる。
【００４７】
そして、コンロ部１３の所定の点火動作が終了した後に再開指令が出力されると（Ｓ３８で「Ｙｅｓ」）、中断していたグリル部８の動作制御のステップ（Ｓ３２〜Ｓ３４）が再開され、再び上火バーナ５２Ｕのガス量調整弁６Ｕへの閉弁信号を最初から所定時間出力して上火バーナ５２Ｕへのガス量調整弁６Ｕを閉弁させて、上火バーナ５２Ｕの火力が大火力から小火力の火力状態に切り替えられる（Ｓ３５）。
【００４８】
また、図６（ｂ）のフローチャートを参照して、例えば、上火バーナ５２Ｕ及び下火バーナ５２Ｂが大火力状態でグリル燃焼中のときに、火力切替ボタン４Ｃの操作により上火バーナ５２Ｕと下火バーナ５２Ｂの両方を小火力状態にするための小火力要求（Ｓ４１）がなされると、上火バーナ５２Ｕのガス量調整弁６Ｕへの閉弁信号を所定時間（例えば、１１０ｍｓ）出力し（Ｓ４２〜Ｓ４４）、次いで下火バーナ５２Ｂのガス量調整弁６への閉弁信号を所定時間（例えば、１１０ｍｓ）出力する（Ｓ４６〜Ｓ４８）。なお、この場合、下火バーナ５２Ｂのガス量調整弁６Ｂに対する閉弁信号出力（Ｓ４６〜Ｓ４８）を先に行い、次いで上火バーナ５２Ｕのガス量調整弁６Ｕに対する閉弁信号出力（Ｓ４２〜Ｓ４４）を行ってもよい。これにより、上火バーナ５２Ｕ及び下火バーナ５２Ｂの各々へのガス量調整弁６Ｕ，６Ｂが閉弁され、上火バーナ５２Ｕ及び下火バーナ５２Ｂの火力がともに大火力から小火力の火力状態に切り替わる（Ｓ４５，Ｓ４９）。
【００４９】
ここで、上記した上火バーナ５２Ｕと下火バーナ５２Ｂとのそれぞれの火力調節の動作制御中の間は、コンロ部１３の点火操作が行われたか否か監視され（Ｓ４３，Ｓ４７）、コンロ部１３の点火操作が開始された場合は上記のグリル部８の動作制御が中断される。すなわち、上火バーナ５２Ｕのガス量調整弁６Ｕへの閉弁信号出力中に、コンロ部１３の点火操作開始による中断指令が出力された場合（Ｓ５０で「Ｙｅｓ」）は、この上火バーナ５２Ｕのガス量調整弁６Ｕへの閉弁信号出力を直ちに停止して（Ｓ５１）、現時点のグリル部８の動作制御を中断させ、また、上火バーナ５２Ｕの火力調節後の下火バーナ５２Ｂのガス量調整弁６Ｂへの閉弁信号出力中に、上記中断指令が出力された場合（Ｓ５３で「Ｙｅｓ」）は、この下火バーナ５２Ｂのガス量調整弁６Ｂへの閉弁信号出力を直ちに停止して（Ｓ５４）、現時点のグリル部８の動作制御を中断させる。これにより、グリル部８の火力調節動作は中断したところの動作で待機中となり、コンロ部の１３点火動作が優先的に進められる。
【００５０】
そして、コンロ部１３の所定の点火動作が終了した後の再開指令が出力されると（Ｓ５２、Ｓ５５）、中断していたところのグリル部８の動作制御のステップから再開される。すなわち、上火バーナ５２Ｕの火力調節動作が中断されていた場合は再開指令出力（Ｓ５２で「Ｙｅｓ」）により上火バーナ５２Ｕのガス量調整弁６Ｕへの閉弁信号を最初から所定時間出力し（Ｓ４２〜Ｓ４４）、また、下火バーナ５２Ｂの火力調節動作が中断されていた場合は再開指令出力（Ｓ５５で「Ｙｅｓ」）により下火バーナ５２Ｂのガス量調整弁６への閉弁信号を最初から所定時間出力して（Ｓ４６〜Ｓ４８）、上火バーナ５２Ｕ及び下火バーナ５２Ｂの各々へのガス量調整弁６Ｕ，６Ｂを閉弁させて、上火バーナ５２Ｕ及び下火バーナ５２Ｂの火力がともに大火力から小火力の火力状態に切り替えられる（Ｓ４５，Ｓ４９）。
【００５１】
なお、コンロ部１３の点火操作が行われた場合における上記以外のグリル部８の火力調節の動作制御は、上記動作に準じて行われる。
【００５２】
ここで、コンロ部１３を消火操作（点消火ボタン３を押し込んだ後に解放し元の始端位置に戻す。）すると、器具栓３の電磁安全弁２５及び元ガス弁２４が閉弁されるが、コンロバーナ５１のガス遮断弁７及びガス量調整弁６は燃焼時の状態、すなわち開弁状態になっている。従って、コンロ部１３とグリル部８とがともに燃焼中のときにコンロ部１３だけを消火し、その後にグリル部８の火力調節操作を行った直後に消火したコンロ部１３が点火操作されることが考えられる。この条件下において、グリル部８での火力調節の動作制御中にコンロ部１３の点火操作を行ったときにグリル部８の動作制御終了後にコンロバーナ５１の点火動作を開始するとすれば、コンロバーナ５１上に調理容器Ａが無い状態でコンロ部１３の点火操作を行った場合はコンロバーナ５１のガス遮断弁７への閉弁制御に遅れが生じ、ガス遮断弁７が閉弁保持されるまでに、手動により器具栓２の元ガス弁２４及び電磁安全弁２５が開弁されてコンロバーナ５１から生ガスが放出されるおそれがあった。
【００５３】
これに対して、本実施形態によれば、上記条件下において、グリル部８での火力調節の動作制御中にコンロバーナ５１上に調理容器無しの状態でコンロ部１３の点火操作が行われても、グリル部８の動作制御を中断してコンロ部１３の点火動作を優先して行うので、コンロバーナ５１のガス遮断弁７が直ちに閉弁保持されるから、コンロバーナ５１からの生ガスの放出が確実に防止される。また、コンロバーナ５１上に調理容器有りの状態では、コンロ部１３の点火操作を単独で行ったときと同様に、コンロバーナ５１の点火・燃焼がその点火操作時点から遅滞無く行われるので、使用者に何らの違和感を感じさせることもない。
【００５４】
次に、グリル部８の点火の動作制御中にコンロ部１３の点火操作が行われた場合のグリル部８での動作を図７のフローチャートを参照して説明する。図７のフローチャートを参照して、グリル部８の点火操作を開始するため点消火ボタン３Ｃを押し込むと器具栓２Ｃの元ガス弁２４が開弁され（Ｓ６１）、マイクロスイッチ１１より１段目の器具栓操作位置が検出されると（Ｓ６２）、電源から制御部へ給電されて制御電源を保持し（Ｓ６３）、器具栓２Ｃの電磁安全弁２５への励磁電流を印加する（Ｓ６４）。
【００５５】
そして先ずは、第１・第２のコンロ部１３Ｒ，１３Ｌの各コンロバーナ５１Ｒ，５１Ｌのガス遮断弁７Ｒ，７Ｌに対する閉弁制御が順次に行われる。すなわち、第１コンロバーナ５１Ｒのガス遮断弁７Ｒへの閉弁信号を所定時間（例えば、１１０ｍｓ）出力し（Ｓ６６〜Ｓ６８）、次いで、第２コンロバーナ５１Ｌのガス遮断弁７Ｌへの閉弁信号を所定時間（例えば、１１０ｍｓ）出力する（Ｓ７０〜Ｓ７２）。なお、第２コンロバーナ５１Ｌのガス遮断弁７Ｌに対する閉弁信号出力（Ｓ７０〜Ｓ７２）を先に行い、次いで第１コンロバーナ５１Ｒのガス遮断弁７に対する閉弁信号出力（Ｓ６６〜Ｓ６８）を行ってもよい。これにより、第１・第２のコンロバーナ５１Ｒ，５１Ｌのガス遮断弁７Ｒ，７Ｌがともに閉弁状態となる。なお、燃焼中のコンロバーナ５１Ｒ，５１Ｌに対しては上記閉弁制御の動作は行われない（Ｓ６５で「Ｙｅｓ」、Ｓ６９で「Ｙｅｓ」）。
【００５６】
次に、グリル部８の上火バーナ５２Ｕと下火バーナ５２Ｂとの各々のガス量調整弁６Ｕ，６Ｂに対する開弁制御が順次に行われる。すなわち、上火バーナ５２Ｕのガス量調整弁６Ｕに対する開弁信号を所定時間（例えば、１１０ｍｓ）出力し（Ｓ７３〜Ｓ７５）、次いで、下火バーナ５２Ｂのガス量調整弁６Ｂに対する開弁信号を所定時間（例えば、１１０ｍｓ）出力する（Ｓ７６〜Ｓ７８）。なお、下火バーナ５２Ｂのガス量調整弁６Ｂに対する開弁信号出力（Ｓ７６〜Ｓ７８）を先に行い、次いで上火バーナ５２Ｕのガス量調整弁６Ｕに対する開弁信号出力（Ｓ７３〜Ｓ７５）を行ってもよい。これにより、上火バーナ５２Ｕ及び下火バーナ５２Ｂの各々へのガス量調整弁６Ｕ，６Ｂが開弁され、上火バーナ５２Ｕ及び下火バーナ５２Ｂには大火力相当のガス量供給が可能となる。
【００５７】
そして、点消火ボタン３Ｃの押し込みで電磁安全弁２５が手動で開弁され（Ｓ７９）、マイクロスイッチ１１より２段目の器具栓操作位置が検出されると（Ｓ８０）、イグナイタへ電圧を印加し（Ｓ８１）、上火バーナ５２Ｕ及び下火バーナ５２Ｂの各々の点火電極１７より火花放電させて上火バーナ５２Ｕ及び下火バーナ５２Ｂを点火させる。上火バーナ５２Ｕ及び下火バーナ５２Ｂの各々において炎を検知する炎検知器１６の検知電圧が所定時間継続して着火レベル以上になると（Ｓ８２）、イグナイタへの電圧印加を停止する（Ｓ８３）。これにより、上火バーナ５２Ｕ及び下火バーナ５２Ｂが大火力で燃焼開始される。
【００５８】
そして、上述したグリル部８の点火の動作制御中の間は、コンロ部１３の点火操作が行われたか否か監視され（Ｓ６７，Ｓ７１，Ｓ７４，Ｓ７７）、コンロ部１３の点火操作が開始された場合はグリル部８の動作制御が中断される。すなわち、第１コンロバーナ５１Ｒのガス遮断弁７Ｒへの閉弁信号出力中に、コンロ部１３の点火操作開始による中断指令が出力された場合（Ｓ８４で「Ｙｅｓ」）は、この第１コンロバーナ５１Ｒのガス遮断弁７Ｒへの閉弁信号出力を直ちに停止して（Ｓ８５）、現時点のグリル部８の動作制御を中断させ、また、第２コンロバーナ５１Ｌのガス遮断弁７Ｌへの閉弁信号出力中に、コンロ部１３の点火操作開始による中断指令が出力された場合（Ｓ８７で「Ｙｅｓ」）は、この第２コンロバーナ５１Ｌのガス遮断弁７Ｌへの閉弁信号出力を直ちに停止して（Ｓ８８）、現時点のグリル部８の動作制御を中断させる。
【００５９】
そして、コンロ部１３の所定の点火動作が終了した後の再開指令が出力されると、中断されたところのグリル部８の動作制御のステップから再開される。すなわち、第１コンロバーナ５１Ｒのガス遮断弁７Ｒへ閉弁制御が中断されていた場合は再開指令出力により（Ｓ８６で「Ｙｅｓ」）、第１コンロバーナ５１Ｒのガス遮断弁７Ｒへの閉弁信号を最初から所定時間出力し（Ｓ６５〜Ｓ６８）、また、第２コンロバーナ５１Ｌのガス遮断弁７Ｌへの閉弁制御が中断されていた場合は再開指令出力により（Ｓ８９で「Ｙｅｓ」）、第２コンロバーナ５１Ｌのガス遮断弁７への閉弁信号を最初から所定時間出力して（Ｓ６９〜Ｓ７２）、点火操作されなかったコンロ部１３Ｒ，１３Ｌのコンロバーナ５１，５１Ｌのガス遮断弁７Ｒ，７Ｌが閉弁状態にされる。
【００６０】
また、上火バーナ５２Ｕのガス量調整弁６Ｕへの開弁信号出力中に、コンロ部１３の点火操作開始による中断指令が出力された場合（Ｓ９０で「Ｙｅｓ」）は、この上火バーナ５２Ｕのガス量調整弁６Ｕへの開弁信号出力を直ちに停止して（Ｓ９１）、現時点のグリル部８の動作制御を中断させ、また、下火バーナ５２Ｂのガス量調整弁６Ｂへの開弁信号出力中に、コンロ部１３の点火操作開始による中断指令が出力された場合（Ｓ９３で「Ｙｅｓ」）は、この下火バーナ５２Ｂのガス量調整弁６Ｂへの開弁信号出力を直ちに停止して（Ｓ９４）、現時点のグリル部８の動作制御を中断させてコンロ部１３の点火動作を優先して行う。
【００６１】
そして、コンロ部１３の所定の点火動作が終了した後の再開指令が出力されると、中断されたところのグリル部８の動作制御のステップから再開される。すなわち、上火バーナ５２Ｕのガス量調整弁６へ開弁制御が中断されていた場合は再開指令出力により（Ｓ９２で「ｙｅｓ」）、上火バーナ５２Ｕのガス量調整弁６Ｕへの開弁信号を最初から所定時間出力し（Ｓ７３〜Ｓ７５）、また、下火バーナ５２Ｂのガス量調整弁６Ｂへの開弁制御が中断されていた場合は再開指令出力により（Ｓ９５で「Ｙｅｓ」）、下火バーナ５２Ｂのガス量調整弁６Ｂへの開弁信号を最初から所定時間出力して（Ｓ７６〜Ｓ７８）、上火バーナ５２Ｕ及び下火バーナ５２Ｂの各々へのガス量調整弁６Ｕ，６Ｂを開弁させて、上火バーナ５２Ｕ及び下火バーナ５２Ｂへ大火力相当のガス量供給を可能にする。
【００６２】
このように、本実施形態のグリル付ガスコンロ１によれば、グリル部８の点火操作を開始したとき、先ずは燃焼してないコンロバーナ５１のガス遮断弁７を閉弁させるので、その後の上火・下火バーナ５２Ｕ，５２Ｂのガス量調整弁６Ｕ，６Ｂに対する開弁制御の実行中に、コンロバーナ５１上に調理容器無しの状態でコンロ部１３の点火操作を行い手動で器具栓２が開成されてもガス遮断弁７の閉弁によってコンロバーナ５１からの生ガスの放出が防止される。
【００６３】
一方、上記したグリル部８の点火操作開始によるコンロバーナ５１Ｒ，５１Ｌのガス遮断弁７Ｒ，７Ｌの閉弁制御は、第１・第２のコンロバーナ５１Ｒ，５１Ｌの各ガス遮断弁７Ｒ，７Ｌに対して順番に実行されるため、例えば、第１コンロバーナ５１Ｒのガス遮断弁７Ｒに対する閉弁制御の実行中に、第２コンロ部１３Ｌの点火操作が行われることも考えられる。この条件下において、グリル部８の動作制御終了後に第２コンロ部１３Ｌの点火動作制御を開始するとすれば、第２のコンロバーナ５１Ｌ上に調理容器Ａが無い状態で第２のコンロ部１３Ｌの点火操作を行った場合は第２のコンロバーナ５１Ｌのガス遮断弁７Ｌへの閉弁制御に遅れが生じ、ガス遮断弁７Ｌが閉弁保持されるまでに、手動により器具栓２Ｌの元ガス弁２４及び電磁安全弁２５が開弁されて第２のコンロバーナ５１Ｌから生ガスが放出されるおそれがあった。
【００６４】
これに対して、本実施形態によれば、グリル部８での点火の動作制御中にコンロバーナ５１上に調理容器無しの状態でコンロ部１３の点火操作が行われても、グリル部８の動作制御を中断してコンロ部１３の点火動作制御を優先して行うので、上記条件下においては、第２のコンロバーナ５１Ｌのガス遮断弁７Ｌが直ちに閉弁保持されるから、第２のコンロバーナ５１Ｌからの生ガスの放出が確実に防止される。また、コンロバーナ５１上に調理容器有りの状態では、コンロ部１３の点火操作を単独で行ったときと同様に、コンロバーナ５１の点火・燃焼がその点火操作時点から遅滞無く行われるので、使用者に何らの違和感を感じさせることもない。
【００６５】
なお、本発明は、上記実施形態のみに限定されず、発明の要旨を変更しない範囲で適宜変更を施すことが可能である。
例えば、上述したコンロ部１３からの中断指令及び再開指令は、各コンロ部１３Ｒ，１３Ｌにおける１段目の器具栓操作位置を検出するマイクロスイッチ１１の検知信号を中断指令とし、２段目の器具栓操作位置を検出するマイクロスイッチ１１の検知信号又は調理容器検知器１５からの調理容器無しの検知信号を再開指令として認識するようにしてもよい。
また、ガス遮断弁７やガス量調整弁６は、ラッチ式電磁弁に代えて、モータ駆動により開閉されるモータ弁としてもよい。このモータ弁でも、ラッチ式電磁弁と同様に閉弁保持又は開弁保持のための保持電力を必要としないから、電源電力の消費を抑制することができる。
また、閉弁手段としてのガス遮断弁７は、器具栓２の下流位置に設けるが、器具栓２の上流位置に設けてもよいし、また、器具栓２内に設けるようにしてもよい。
また、点消火ボタン３は、押し込み式に限らず押し回し式のものでもよい。
【符号の説明】
【００６６】
Ａ  調理容器
１  グリル付ガスコンロ
２  器具栓
５  ガスバーナ
６  ガス量調節弁
７  ガス遮断弁（閉弁手段）
８  グリル部
９  ガス通路
１０  コンロ本体
１１  マイクロスイッチ
１３  コンロ部
１４  調理容器温度センサ
１５  調理容器検知器
２４  元ガス弁
２５  電磁安全弁
５１  コンロバーナ（ガスバーナ）
５１Ｒ  第１のコンロバーナ
５１Ｌ  第２のコンロバーナ
５２  グリルバーナ
５２Ｕ  上火バーナ
５２Ｂ  下火バーナ
【図１】
0005557809.tif 000002
【図２】
0005557809.tif 000003
【図３】
0005557809.tif 000004
【図４】
0005557809.tif 000005
【図５】
0005557809.tif 000006
【図６】
0005557809.tif 000007
【図７】
0005557809.tif 000008